(57)【要約】【課題】切り花輸送容器として、水分補給用の水を収容して切り花を萎れさせずに安定性よく保持でき、しかも横倒し状態での漏水防止効果に優れる容器を、成形容易にしてコスト安価に製作、提供できるようにする。【解決手段】切り花への水分補給のための水を収容する容器本体１０と、この容器本体１０の開口端部１３に嵌合構造により装着される蓋２０とからなり、蓋２０の中央部に切り花Ｆを挿し込み保持するための保持筒２１が設けられてなる切り花輸送容器Ａであって、蓋２０は、容器本体１０の開口端部１３に対する嵌合部より内方の部分が上方に膨出形成され、膨出部２４の中央部に上部開口２１ａを形成する保持筒２１が膨出部２４の頂部２４ａから連続して下方向きに延設され、その下端が蓋２０の容器本体１０の開口端部１３に対する嵌合位置と同高さ付近まで延びて開口する構造とする。【選択図】        図７
2007062759.tif 000002
【特許請求の範囲】
【請求項１】
切り花の水分補給のための水を収容する容器本体と、この容器本体の開口端部に嵌合構造により装着される蓋とからなり、前記蓋の中央部に切り花を挿し込み保持するための保持筒が設けられてなる切り花輸送容器であって、
前記蓋は、容器本体の開口端部に対する嵌合部より内方の部分が上方に膨出形成され、該膨出部の中央部に上部開口を形成する前記保持筒が該膨出部の頂部から連続して下方向きに延設されるとともに、該保持筒の下端が前記容器本体の開口端部に対する蓋の嵌合位置と同高さ付近まで延びて開口していることを特徴とする切り花輸送容器。
【請求項２】
前記蓋の膨出部の外周壁が頂部に向かって内方に傾斜したテーパ状をなしている請求項１に記載の切り花輸送容器。
【請求項３】
前記膨出部の頂部からアール曲面を介して中央部の前記保持筒に連続している請求項２に記載の切り花輸送容器。
【請求項４】
前記膨出部の頂部より連続する前記保持筒が下方側程径小となるテーパ状をなしている請求項３に記載の切り花輸送容器。
【発明の詳細な説明】
【技術分野】
【０００１】
本発明は、輸送中や保管中の切り花に対する水分補給のための水を収容できる構造を備えた切り花輸送容器に関するものである。
【背景技術】
【０００２】
各種の切り花（生花）を、生産地から卸売り市場まで、また卸売り市場から販売店まで輸送する際に、従来一般には扁平な段ボール箱を使用して、この箱内に切り花を横に寝かせた状態で収容して包装していたが、この方法では輸送中の切り花には水分補給が全く行われないため、目的地に到着するまで切り花を萎れないように保つのが困難であった。
【０００３】
そこで、近年、切り花への水分補給のための水を収容した容器を用い、該容器の蓋に有する開口部から切り花を挿し込んで容器底面に対し起立状態に保持して輸送することが行われている。これに使用する容器としては、蓋の開口部に挿し込まれる切り花を安定性よく保持できること、また、容器の転倒時に内部の水が容易に漏出しないことが望まれ、この点を配慮した容器の提案もなされている。
【０００４】
例えば、下記の特許文献１には、水を収容する容器本体に対し水密状態に嵌合され被着される蓋の開口部に、切り取った生花（切り花）の束を保持するための生花保持筒を容器内の下方に向かって延設し、前記生花の束を安定性よく保持できるようにするとともに、容器が転倒したりして横倒し状態になったときに、水の全量を容器本体の側壁と前記生花保持筒との間の空間に滞留させることで、水の漏出を防止できる構造の生花輸送用容器が提案されている。
【０００５】
しかし、前記提案の容器の場合、蓋に有する生花保持筒が容器内下方にまで延びる形状であるため、容器本体をそれだけ深くする必要があり、この容器本体を合成樹脂シートから真空成形等の手段により製作する場合、かなりの深絞りの成形になって、その成形にかなり手の込んだ複雑な治具が必要になり、しかも部分的に薄肉の部分が生じ易くなり、成形加工が容易でなくなる。仮に薄肉部分が生じると、使用中に該薄肉部分からクラックが発生して水洩れが生じる虞がある。
【０００６】
また、前記のように蓋に有する生花保持筒が容器内下方にまで延びる形状のために、前記の蓋を、樹脂シートから真空成形等の手段により製作する場合、成形後の外周のトリミングとは別に、前記生花保持筒の下端をニクロム線により横断方向にカットして開口するための加工が必要になり、工数が増えコスト高なものになる。しかも、ニクロム線でカットすると、切り口となる開口に針が生じ、切り花の茎を傷付ける虞がある。
【０００７】
さらに、前記生花保持筒が容器内下方に延びているために、輸送中の上下振動等によって収容された水が前記切り花保持筒に入り込み易く、そのため横倒し状態になったときに漏水が発生する虞がある。
【特許文献１】特開２００４−２９２５８号公報
【発明の開示】
【発明が解決しようとする課題】
【０００８】
本発明は、上記の問題を解決するためになしたものであり、切り花を保持する保持筒を有する蓋の成形加工が容易で、コスト安価に製作でき、しかも切り花を起立状態に安定性よく保持でき、転倒時や横倒し状態にしたときの漏水防止効果にも優れる、切り花輸送容器を提供するものである。
【課題を解決するための手段】
【０００９】
本発明は、切り花の水分補給のための水を収容する容器本体と、この容器本体の開口端部に嵌合構造により装着される蓋とからなり、前記蓋の中央部に切り花を挿し込み保持するための保持筒が設けられてなる切り花輸送容器であって、前記蓋は、容器本体の開口端部に対する嵌合部より内方の部分が上方に膨出形成され、該膨出部の中央部に上部開口を形成する前記保持筒が該膨出部の頂部から連続して下方向きに延設されるとともに、該保持筒の下端が前記容器本体の開口端部に対する蓋の嵌合位置と同高さ付近まで延びて開口していることを特徴とするものである。
【００１０】
この切り花輸送容器は、容器本体に所定量の水を収容して、該容器本体の開口端部に蓋を嵌合構造により水密に装着した状態において、該蓋の膨出部の中央部に有する保持筒に切り花を上部開口から挿し込み、茎部の下端を水中に浸漬させた状態に保持して使用する。
【００１１】
この際、前記蓋の膨出部の中央部に有する前記保持筒は、その下端が容器本体の開口端部に対する蓋の嵌合位置と同高さ位置付近にあって、容器本体内にまでは延びていないため、容器本体を少々浅くしても、輸送中の上下振動等によって収容された水が前記保持筒に入り込む虞がなく、前記保持筒が容器本体内下方に延びている従来の形状に比して漏水が生じ難くなる。
【００１２】
しかも、前記蓋の切り花保持筒の周囲には膨出部による空間が形成されているため、転倒して横倒し状態になったり、横倒し状態で積載して輸送する場合において、容器内に収容された水が前記蓋の前記保持筒外周の膨出部の空間に流れ込んで滞留し、前記保持筒に入り込むことがなく、該保持筒の部分からの漏水を防止することができる。
【００１３】
その上、前記蓋の膨出部の中央部に有する前記保持筒は、その下端が容器本体の開口端部に対する蓋の嵌合位置と同高さ位置付近にあって、容器本体内までは延びていないため、切り花を従来と同じ高さ位置で該保持筒により安定性よく保持するようにして、しかも容器本体の深さを従来よりも浅くすることも可能になる。またそのため、容器本体を真空成形等の手段により製作する場合に、過度の深絞り成形を抑制でき、深絞りによる薄肉部分を生じさせずに容易に成形できることにもなる。
【００１４】
さらに、前記保持筒の下部開口が、容器本体の開口端部に対する蓋の嵌合位置と同高さ付近にあるため、該蓋を真空成形等の手段により製作する場合において、成形後の外周をトリミングする工程において同時に、前記保持筒の下部開口を打ち抜き開口させることができ、容易に製作できる。下部開口の切り口が綺麗になるため、保持筒に挿し込まれる切り花の茎を傷める虞もない。
【００１５】
前記の切り花輸送容器において、前記蓋の膨出部の外周壁が頂部に向かって内方に傾斜したテーパ状をなしているものが好ましく、これにより、切り花の束を前記保持筒に挿し込んで起立状態に保持したとき、切り花の倒れに対して前記膨出部の傾斜した外周壁が倒れに対する支えの役目を果たし、倒れ難くなる。
【００１６】
また、前記膨出部の頂部からアール曲面を介して中央部の前記保持筒に連続していることにより、切り花を前記保持筒にさし込み易くなる。また、前記膨出部の頂部より連続する前記保持筒が下方に向かって漸次径小のテーパ状をなしていると、切り花を前記保持筒に挿し込み易く、しかも安定性よく保持できることになる。
【発明の効果】
【００１７】
上記したように本発明の切り花輸送容器によれば、蓋における切り花の保持筒の周囲に上方への膨出部に形成して、該保持筒の下端が容器本体の開口端部に対する蓋の嵌合位置と同高さ位置付近にある構造としたことにより、切り花を起立状態に安定性よく保持できるとともに、転倒時あるいは横倒し状態にした場合において収容された水の漏出を確実に防止できる。また、前記蓋の成形加工の際、前記保持筒の下部開口を外周をトリミングする工程で同時にかつ綺麗に打ち抜き形成でき、成形加工が容易で、コスト安価に製造、提供できる。
【発明を実施するための最良の形態】
【００１８】
次に、本発明の実施の形態を図面に示す実施例に基づいて説明する。
【００１９】
図１は本発明にかかる切り花輸送容器の蓋と容器本体の斜視図、図２は蓋の平面図、図３は容器本体の平面図、図４は蓋と容器本体の分離した断面図、図５は同上の嵌合被着状態の断面図、図６は切り花の束を保持筒に挿し込んだ使用状態の斜視図、図７は同上の横倒し状態の断面図である。
【００２０】
本発明にかかる切り花輸送容器Ａは、輸送対象の切り花Ｆの輸送時や保管時の萎れを防止するための水分補給用の所定量の水Ｗを収容できる容器本体１０と、前記容器本体１０の開口端部１３に対し嵌合構造により装着される蓋２０とよりなり、前記蓋２０の中央部に切り花Ｆを挿し込み保持するための保持筒２１が設けられてなる。
【００２１】
前記容器本体１０は、平面より見て略四角形をなし、底部１１と、該底部１１から連続して立ち上がった四周の側壁１２とを有しており、該側壁１２がやや外方へ傾斜したテーパ状をなして上方に開口する容器形状をなしている。前記側壁１２の上端の開口端部１３には、その外周にフランジ１４が設けられ、該フランジ１４の上面に前記蓋２０を装着するための嵌合部としての凸部１５が周設されている。また、前記各側壁１２の内面側には縦方向の補強用の凸部１６が設けられている。
【００２２】
前記蓋２０は、前記容器本体１０のフランジ１４と対応したフランジ状の周縁部２２の下面に前記凸部１５に対し水密に嵌合可能な凹部２３が設けられており、前記凸部１５に対する前記凹部２３の嵌合により、容器本体１０の開口端部１３に対し前記蓋２０が装着されるようになっている。容器本体１０と蓋２０との嵌合部として、前記とは逆に、容器本体１０の側に凹部、蓋２０の側に凸部を設けて実施することもできる（図示せず）。
【００２３】
前記蓋２０は、前記容器本体１０の開口端部１３に対する嵌合部、つまり前記凸部１５に嵌合する前記フランジ状の周縁部２２の凹部２３より内方の部分が上方に膨出形成され、該膨出部２４の中央部に上部開口２１ａを形成する前記保持筒２１が該膨出部２４の頂部２４ａから一体に連続して下方向きに延設されており、該保持筒２１の下端が前記容器本体１０の開口端部１３に対する該蓋２０の嵌合位置（前記凸部１５と凹部２３による嵌合部の位置）と同高さ付近、すなわち前記嵌合位置と同高さあるいは前記同高さ近くの位置まで延びて開口している。２１ｂは前記保持筒２１の下部開口を示している。
【００２４】
図の場合、前記蓋２０の膨出部２４は、保持筒２１に挿し込み保持された切り花Ｆの倒れに対して支えの役目を果たすように、外周壁２４ｂが頂部２４ａに向かって内方に傾斜したテーパ状をなしている。また、前記膨出部２４の頂部２４ａからアール曲面を介して中央部の保持筒２１に連続しており、切り花Ｆの束を上部開口２１ａより挿し込み易くなっている。また、前記膨出部２４の頂部２４ａより連続する前記保持筒２１は、下方に向かって漸次径小のテーパ状をなしており、該保持筒２１に切り花Ｆを挿し込み易く、かつ挿し込んだ切り花Ｆを安定性よく保持できるようになっている。前記保持筒２１は、図のような円形の筒には限らず、断面多角形や楕円形の筒状とすることもできる。また、必要に応じて、縦方向の凹凸条により蛇腹状に形成して周方向に伸縮性を持たせ、切り花Ｆを弾力的に保持できるように形成して実施することもできる。
【００２５】
なお、前記切り花輸送容器Ａは、図のように平面略四角形をなすものには限らず、平面円形や楕円形あるいは四角形以外の多角形の容器とすることもできる。
【００２６】
前記保持筒２１の径（テーパ状の場合は平均の直径）は、該輸送用容器Ａに挿し込み保持される切り花Ｆの束の径、及び容器内に収容される水の量等に応じて設定され、特には横倒し状態になったときに容器内の水が該保持筒２１に入り込むことがないように設定される。また、前記容器本体１０の深さ、前記蓋２０の膨出部２４の膨出高さ等についても、切り花Ｆの保持状態の安定性や収容する水量に応じて適宜設定できる。
【００２７】
前記の切り花の輸送用容器Ａの容器本体１０及び蓋２０の構成素材としては、ハイインパクトポリスチレン、ポリスチレン及びスチレンを主体とする共重合体等のポリスチレン系樹脂、ポリエチレン、ポリプロピレン及びオレフィンを主体とする共重合体等のポリオレフィン系樹脂、ポリエチレンテレフタレート等のポリエステル系樹脂等の熱可塑性樹脂、あるいは生分解性プラスチックを用いることができる。
【００２８】
また、前記容器本体１０及び蓋２０の製作方法としては、前記素材の樹脂を用いて射出成形することもできるが、前記素材樹脂のシートから真空成形や圧空成形等の手段により成形加工するのが好ましい。
【００２９】
この成形加工において、前記容器本体１０は、その深さを従来よりも浅く形成することができるため、前記素材樹脂のシートからの真空成形等の成形加工が容易になり、しかも過度に薄肉になる部分を生じさせずに成形できることになる。すなわち、前記保持筒２１が前記蓋２０の上方への膨出部２４の中央部において頂部２４ａから連続して下方向きに延設され、容器本体１０内にまでは延びない構造であるため、容器本体１０としては、底部１１から前記保持筒２１までの高さを従来と同様に確保しながら、前記蓋２０の膨出部２４の高さ分だけ浅くすることができる。そのため、この容器本体１０を素材樹脂のシートから成形する場合において、深絞り成形を抑制できて、手の込んだ複雑な治具を使用する必要がなく、過度の薄肉部分を生じさせずに容易に成形できる。またそのため、薄肉部分にクラックが発生して水洩れする虞なく使用できるものとなる。
【００３０】
また、前記と同様にして，蓋２０を前記の素材樹脂のシートから真空成形等の手段により製作する場合、通常、前記蓋２０を裏返した状態で真空成形を行い、前記膨出部２４および前記保持筒２１を所定の形状に成形するが、この成形後の外周をトリミングする工程において、同時に前記保持筒２１の下端をバリを生じさせずに綺麗に打ち抜き開口させることができる。そのため、ニクロム線を使用してカットする特別の工程が不要になり、前記保持筒２１を蓋２０と一体に成形するものであっても容易に成形でき、コスト安価に製作することができる。
【００３１】
そして、前記のように製作される切り花輸送容器Ａは、容器本体１０に所定量の水Ｗを収容して、該容器本体１０の開口端部１３に対し蓋２０を、凸部１５と凹部２３の嵌合により水密に装着した状態において、該蓋２０に有する前記保持筒２１に切り花Ｆを例えば束にして上部開口２１ａから挿し込み、茎部の下端を水中に浸漬させた状態に保持して使用する。
【００３２】
この際、前記蓋２０の膨出部２４の中央部に有する前記保持筒２１は、その下端が容器本体１０の開口端部１３に対する蓋２０の嵌合位置と同高さ位置付近にあって、容器本体１０内には延びていないため、切り花Ｆの茎部を従来と同じ高さか、あるいはやや高い位置で前記保持筒２１により安定性よく保持できる。しかも、容器本体１０の深さを従来よりも浅くしても、輸送中の上下振動等によって水Ｗが前記切り花保持筒２１に入り込む虞がなく、切り花保持筒２１が容器本体１０内下方に延びている従来の形状に比して振動による漏水が生じ難くなる。
【００３３】
また、前記蓋２０の切り花保持筒２１の周囲には膨出部２４による空間が形成されているため、転倒して横倒し状態になったり、あるいは横倒し状態で積載して輸送する場合において、容器内に収容された水Ｗが前記蓋２０における前記保持筒２１外周の膨出部２４の空間に流れ込んで滞留し、前記保持筒２１に入り込むことがなく、該保持筒２１の部分からの漏水を防止することができる。
【００３４】
なお、切り花保持筒２１を有する前記蓋２０は、フランジ状の周縁部の外縁の一部を、前記容器本体１０のフランジの外縁にヒンジ部を介して連接しておき、容器本体に対して蓋を嵌合被着できるように構成して実施することもできる（図示せず）。特に、前記のように容器本体及び蓋の成形加工が容易であることから、容器本体と蓋を一体に連接成形するのも容易である。
【産業上の利用可能性】
【００３５】
本発明は、各種切り花の生産地から卸売り市場までの輸送、あるいは卸売り市場から販売店までの輸送あるいは一次保管に好適に使用できる。
【図面の簡単な説明】
【００３６】
【図１】本発明の切り花輸送容器の１実施例を示す蓋と容器本体の斜視図である。
【図２】同上の切り花輸送容器の蓋の平面図である。
【図３】同上の切り花輸送容器の容器本体の平面図である。
【図４】同上の切り花輸送容器の容器本体と蓋の分離した縦断面図である。
【図５】同上の切り花輸送容器の容器本体に蓋を被着した状態の縦断面図である。
【図６】同上の切り花輸送容器の使用状態を示す斜視図である。
【図７】同上の横倒し状態の拡大断面図である。
【符号の説明】
【００３７】
Ａ…切り花輸送容器、Ｆ…切り花、Ｗ…水、１０…容器本体、１１…底部、１２…側壁、１３…開口端部、１４…フランジ、１５…凸部、１６…補強用の凸部、２０…蓋、２１…保持筒、２１ａ…上部開口、２１ｂ…下部開口、２２…周縁部、２３…凹部、２４…膨出部、２４ａ…頂部、２４ｂ…外周壁。
【図１】
2007062759.tif 000003
【図２】
2007062759.tif 000004
【図３】
2007062759.tif 000005
【図４】
2007062759.tif 000006
【図５】
2007062759.tif 000007
【図６】
2007062759.tif 000008
【図７】
2007062759.tif 000009